(57)【要約】【課題】不斉ブロモラクトン化触媒及びキラルブロモラクトンの合成方法を提供する。【解決手段】  以下の式（１）で表されるピリジルリン酸アミド化合物である、不斉ブロモラクトン化触媒。【化２８】2018065117.tif 000029（式中、Ａは不斉源を表し、Ｒ10は、水素原子、水酸基、置換基を有していてもよい炭化水素基、置換基を有していても良いアミノ基、置換基を有していてもよいアルコキシ基又は置換基を有していてもよいアリールオキシ基を表し、Ｒ11は、水素原子、水酸基、置換基を有していてもよい炭化水素基、置換基を有していてもよいアミノ基、置換基を有していてもよいアルコキシ基又は置換基を有していてもよいアリールオキシ基を表す。）【選択図】なし【特許請求の範囲】
【請求項１】
以下の式（１）で表されるピリジルリン酸アミド化合物である、不斉ブロモラクトン化触媒。
【化２６】
2018065117.tif 000027
（式中、Ａは不斉源を表し、Ｒ10は、水素原子、水酸基、置換基を有していてもよい炭化水素基、置換基を有していても良いアミノ基、置換基を有していてもよいアルコキシ基又は置換基を有していてもよいアリールオキシ基を表し、Ｒ11は、水素原子、水酸基、置換基を有していてもよい炭化水素基、置換基を有していてもよいアミノ基、置換基を有していてもよいアルコキシ基又は置換基を有していてもよいアリールオキシ基を表す。）
【請求項２】
多置換オレフィンを有するカルボン酸からキラルブロモラクトンを合成する触媒である、請求項１に記載の触媒。
【請求項３】
前記キラルブロモラクトンは、６員環ラクトンである、請求項１又は２に記載の触媒。
【請求項４】
光学活性である、請求項１〜３のいずれかに記載の触媒。
【請求項５】
軸不斉に基づく光学活性体である、請求項１〜４のいずれかに記載の触媒。
【請求項６】
前記Ａは、以下から選択される、請求項１〜５のいずれかに記載の触媒。
【化２７】
2018065117.tif 000028
（上記式中、Ｒ1は、それぞれ独立して、水素原子、ハロゲン原子、置換基を有していてもよい炭化水素基、水酸基、置換基を有していてもよいアルコキシカルボニル基、置換基を有していてもよいアリールオキシカルボニル基又は置換シリル基を示し、Ｒ2は、それぞれ独立して、水素原子、ハロゲン原子、置換基を有していてもよい炭化水素基又は水酸基を示し、Ｒ3は、それぞれ独立して、水素原子、置換基を有していてもよい炭化水素基又は水酸基を示し、Ｒ4は、それぞれ独立して、水素原子、ハロゲン原子、置換基を有していてもよい炭化水素基、水酸基、置換基を有していてもよいアルコキシカルボニル基、置換基を有していてもよいアリールオキシカルボニル基、置換基を有していてもよいアルコキシ基又は置換基を有していてもよいアリールオキシ基を示し、Ｒ5は、それぞれ独立して、水素原子、ハロゲン原子、置換基を有していてもよい炭化水素基、水酸基、置換基を有していてもよいアルコキシカルボニル基又は置換基を有していてもよいアリールオキシカルボニル基を示し、Ｒ6は、それぞれ独立して、水素原子又は置換基を有していてもよい炭化水素基を示す。）
【請求項７】
前記Ｒ10は、メチル基以上の電子供与性を有する基である、請求項１〜６のいずれかに記載の触媒。
【請求項８】
不斉ブロモラクトンの合成方法であって、
請求項１〜７のいずれかに記載のピリジルリン酸アミド化合物及びブロモ化剤の存在下で、多置換オレフィンを有するカルボン酸から不斉ブロモラクトンを合成する工程、を備える、方法。
【請求項９】
前記多置換オレフィンは、３置換オレフィンである、請求項８に記載の方法。
【請求項１０】
前記キラルブロモラクトンは、６員環ラクトンである、請求項８又は９に記載の方法。
【発明の詳細な説明】
【技術分野】
【０００１】
本明細書は、不斉ブロモラクトン化触媒及びキラルブロモラクトンの合成に関する。
【背景技術】
【０００２】
本発明者らは、これまで、ピリジニウムリン酸アミドを二座配位型キラルブレンステッド酸触媒として用いて、１−アミドジエンとマレイミドの不斉Diels-Alder反応を報告している（特許文献１、非特許文献１）。
【先行技術文献】
【特許文献】
【０００３】
【特許文献１】特開２０１６−８８９１５号公報
【非特許文献】
【０００４】
【非特許文献１】Nishikawaら、Org. Lett. 2016, 18, 2004
【発明の概要】
【発明が解決しようとする課題】
【０００５】
上記文献の合成反応においては、ピリジニウムリン酸アミドによってマレイミドの求電子的活性化に成功していると考えられる。しかしながら、不斉ブロモラクトン化反応に対するピリジニウムリン酸アミドやピリジルリン酸アミドを用いた合成例は知られていない。
【０００６】
本明細書は、不斉ブロモラクトン化触媒及びキラルブロモラクトンの合成方法を提供する。
【課題を解決するための手段】
【０００７】
本発明者らは、置換オレフィンを有するカルボン酸（以下、単に、置換アルケニルカルボン酸という。）を基質としたブロモラクトン化へのピリジニウムリン酸アミドの触媒的利用について種々検討した。その結果、置換アルケニルカルボン酸のブロモラクトン化については、予想に反してピリジニウムリン酸アミドでなくピリジルリン酸アミドを用いうるという知見を得た。本開示によれば、以下の手段が提供される。
【０００８】
本発明者らは、マレイミドの求電子活性化に鑑みて、Ｎ−ブロモスクシイミドもピリジニウムリン酸アミド化合物で活性化したブロモ化反応の検討を行った。その結果、予想に反して、ピリジニウムリン酸アミド化合物でなくピリジルリン酸アミド化合物が、Ｎ−ブロモスクシイミドを活性化して、二置換オレフィンを有するカルボン酸からのキラルブロモラクトンの合成を促進するという知見を得た。本開示によれば、以下の手段が提供される。
【０００９】
（１）  以下の式（１）で表されるピリジルリン酸アミド化合物である、不斉ブロモラクトン化触媒。
式（１）
【化１】
2018065117.tif 000002
（式中、Ａは不斉源を表し、Ｒ10は、水素原子、水酸基、置換基を有していてもよい炭化水素基、置換基を有していても良いアミノ基、置換基を有していてもよいアルコキシ基又は置換基を有していてもよいアリールオキシ基を表し、Ｒ11は、水素原子、水酸基、置換基を有していてもよい炭化水素基、置換基を有していてもよいアミノ基、置換基を有していてもよいアルコキシ基又は置換基を有していてもよいアリールオキシ基を表す。）
（２）  多置換オレフィンを有するカルボン酸からキラルブロモラクトンを合成する触媒である、（１）に記載の触媒。
（３）  前記キラルブロモラクトンは、６員環ラクトンである、（１）又は（２）に記載の触媒。
（４）  光学活性である、（１）〜（３）のいずれかに記載の触媒。
（５）  軸不斉に基づく光学活性体である、（１）〜（４）のいずれかに記載の触媒。
（６）  前記Ａは、以下から選択される、（１）〜（５）のいずれかに記載の触媒。
【化２】
2018065117.tif 000003
（上記式中、Ｒ1は、それぞれ独立して、水素原子、ハロゲン原子、置換基を有していてもよい炭化水素基、水酸基、置換基を有していてもよいアルコキシカルボニル基、置換基を有していてもよいアリールオキシカルボニル基又は置換シリル基を示し、Ｒ2は、それぞれ独立して、水素原子、ハロゲン原子、置換基を有していてもよい炭化水素基又は水酸基を示し、Ｒ3は、それぞれ独立して、水素原子、置換基を有していてもよい炭化水素基又は水酸基を示し、Ｒ4は、それぞれ独立して、水素原子、ハロゲン原子、置換基を有していてもよい炭化水素基、水酸基、置換基を有していてもよいアルコキシカルボニル基、置換基を有していてもよいアリールオキシカルボニル基、置換基を有していてもよいアルコキシ基又は置換基を有していてもよいアリールオキシ基を示し、Ｒ5は、それぞれ独立して、水素原子、ハロゲン原子、置換基を有していてもよい炭化水素基、水酸基、置換基を有していてもよいアルコキシカルボニル基又は置換基を有していてもよいアリールオキシカルボニル基を示し、Ｒ6は、それぞれ独立して、水素原子又は置換基を有していてもよい炭化水素基を示す。）
（７）  前記Ｒ10は、メチル基以上の電子供与性を有する基である、（１）〜（６）のいずれかに記載の触媒。
（８）  キラルブロモラクトンの合成方法であって、
（１）〜（７）のいずれかに記載のピリジルリン酸アミド化合物及びブロモ化剤の存在下で、多置換オレフィンを有するカルボン酸からキラルブロモラクトンを合成する工程、を備える、方法。
（９）  前記多置換オレフィンは、３置換オレフィンである、（８）に記載の方法。
（１０）  前記キラルブロモラクトンは、６員環ラクトンである、（８）又は（９）８に記載の方法。
【図面の簡単な説明】
【００１０】
【図１】実施例１で合成したピリジルリン酸アミドの構造式及び各種データを示す図である。
【図２Ａ】実施例３で合成した５員環キラルブロモラクトンの構造式及び各種データを示す図である。
【図２Ｂ】実施例３で合成した他の５員環キラルブロモラクトンの構造式及び各種データを示す図である。
【図３Ａ】実施例４で合成した６員環キラルブロモラクトンの構造式及び各種データを示す図である。
【図３Ｂ】実施例４で合成した他の６員環キラルブロモラクトンの構造式及び各種データを示す図である。
【発明を実施するための形態】
【００１１】
本明細書の開示は、不斉ブロモラクトン化触媒及びキラルブロモラクトンの合成方法等に関する。
【００１２】
本発明者らは、ピリジルリン酸アミド化合物中のピリジンの電子供与性が、多置換オレフィンを有するカルボン酸の不斉ブロモラクトン化に有効であることを見出した。ピリジルリン酸アミド化合物は、ブロモラクトン合成反応において、高い立体的選択的反応を実現することができる。例えば、多置換オレフィンを有するカルボン酸からキラルブロモラクトンを、高エナンチオ・ジアステレオ選択的に合成することができる。
【００１３】
本明細書に開示されるキラルブロモラクトンは、種々な修飾が可能であり、医薬、農薬の中間体や原料等として有用な化合物である。本明細書に開示されるキラルブロモラクトンは、２つの連続するキラル中心を有することができる。
【００１４】
以下、本開示を詳細に説明する。
【００１５】
なお、本明細書において、各種官能基の炭素数は、当該官能基が置換基を有する場合、その置換基を含めた合計の炭素数を表す。
【００１６】
（ピリジルリン酸アミド化合物）
本開示のピリジルリン酸アミド（以下、単に本化合物ともいう。）は、以下の一般式（１）で表される。式中Ａは、本化合物にキラリティを提供するユニット（不斉源）である。したがって、式（１）で表される化合物は、キラルな化合物であり、Ｒ体又はＳ体のいずれかを示しうる。以下の説明においては、まず、本化合物について説明し、さらに本化合物について説明する。
【００１７】
【化３】
2018065117.tif 000004
【００１８】
本化合物において、Ａは、意図する不斉合成反応に応じて適宜選択される。すなわち、本化合物においては、不斉源としてのＡは、本化合物にキラリティを付与できれば足りる。不斉源の基本構造は、当業者において周知であり、当業者であれば、必要に応じて周知の不斉源から適宜選択して本化合物を合成等により取得し、意図する不斉合成反応への触媒能について評価し、適切な不斉源を選択することができる。Ａは、いかなる形態で本化合物にキラリティを付与するものであってもよく、キラリティの態様は、中心性キラリティ、軸性キラリティ、面性キラリティ、ヘリシティ等が挙げられる。好ましくは軸性キラリティである。さらに、軸性キラリティを有するＡユニットとしては、アトロプ異性体ユニットが好ましい。アトロプ異性体としては、例えば、ビフェニル化合物、ビナフチル化合物及びジヒドロアントラセノン化合物等が挙げられる。
【００１９】
アトロプ異性体ユニットとしては、典型的には、以下のユニットＩ〜VIIIが挙げられる。また、アトロプ異性体ではないが、他のキラリティを有する化合物（中心性キラリティを有する化合物）ユニットとしては、以下のユニットＩＸ、Ｘが挙げられる。なお、以下の式において［］内は具体例を示す。本明細書において、Ｒ体又はＳ体を特定しないで記載しない場合、いずれかのエナンチオマーを示すことができる。
【００２０】
【化４】
2018065117.tif 000005
【００２１】
【化５】
2018065117.tif 000006
【００２２】
【化６】
2018065117.tif 000007
【００２３】
【化７】
2018065117.tif 000008
【００２４】
【化８】
2018065117.tif 000009
【００２５】
【化９】
2018065117.tif 000010
【００２６】
【化１０】
2018065117.tif 000011
【００２７】
【化１１】
2018065117.tif 000012
【００２８】
ユニットＩ〜Ｘ上における置換基Ｒ1、Ｒ2、Ｒ3、Ｒ4、Ｒ5、Ｒ6は、それぞれ独立して以下の置換基を表す。
【００２９】
［Ｒ1］
Ｒ1は、それぞれ独立して、水素原子、ハロゲン原子、置換基を有していてもよい炭化水素基、水酸基、置換基を有していてもよいアルコキシカルボニル基、置換基を有していてもよいアリールオキシカルボニル基又は置換シリル基を示す。
【００３０】
Ｒ１で表されるハロゲン原子としては、フッ素原子、塩素原子、臭素原子、ヨウ素原子が挙げられる。
【００３１】
Ｒ１で表される置換基を有していてもよい炭化水素基としては、アルキル基、アルケニル基、アルキニル基、及びアリール基が挙げられる。
【００３２】
（アルキル基）
Ｒ１で表されるアルキル基としては、直鎖状でも、分岐状でも或いは環状でもよい。アルキル基としては、例えば炭素数１〜２０、好ましくは炭素数１〜１０、より好ましくは炭素数１〜６の直鎖又は分岐もしくは環状のアルキル基が好ましく、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、ネオペンチル基、ｔｅｒｔ−ペンチル基、ヘキシル基、ヘプチル基、オクチル基、ノニル基、デシル基、セチル基、ステアリル基等の直鎖又は分岐のアルキル基；シクロペンチル基、メチルシクロペンチル基、シクロヘキシル基、メチルシクロヘキシル基、シクロオクチル基等のシクロアルキル基等が挙げられる。
【００３３】
（アルキル基の置換基）
これらアルキル基は置換基を有していてもよく、該置換基としては、炭化水素基、脂肪族複素環基、芳香族複素環基、アルコキシ基、アルキレンジオキシ基、アリールオキシ基、アラルキルオキシ基、ヘテロアリールオキシ基、アルキルチオ基、アリールチオ基、アラルキルチオ基、ヘテロアリールチオ基、アミノ基、置換アミノ基、シアノ基、水酸基、オキソ基、ニトロ基、メルカプト基、三置換シリル基及びハロゲン原子等が挙げられる。特にニトロ基やトリフルオロメチル基等の電気吸引性の基であることが好ましい。これらの置換基の置換位置は、本化合物が不斉求核反応の触媒活性を有する限りいずれであってもよいが、後述するように、例えばＲ1の炭化水素基がフェニル基でその置換基が電子吸引性の基である場合には、フェニル基の２位及び／又は４位であることが好ましい。
【００３４】
アルキル基に置換する炭化水素基としては、例えばアルキル基、アルケニル基、アルキニル基、アリール基、アラルキル基等が挙げられる。
【００３５】
アルキル基に置換するアルキル基としては、直鎖状でも、分岐状でも或いは環状でもよく、例えば、炭素数１〜２０の直鎖又は分岐もしくは環状のアルキル基が好ましく、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、ネオペンチル基、ｔｅｒｔ−ペンチル基、ヘキシル基、ヘプチル基、オクチル基、ノニル基、デシル基、セチル基、ステアリル基等の直鎖又は分岐のアルキル基；シクロペンチル基、シクロヘキシル基、シクロオクチル基等のシクロアルキル基等が挙げられる。
【００３６】
アルキル基に置換するアルケニル基としては、直鎖状でも分岐状でもよく、例えば炭素数２〜１５、好ましくは炭素数２〜１０、より好ましくは炭素数２〜６のアルケニル基が挙げられ、具体的には、エテニル基、プロペニル基、１−ブテニル基、ペンテニル基、ヘキセニル基等が挙げられる。
【００３７】
アルキル基に置換するアルキニル基としては、直鎖状でも分岐状でもよく、例えば炭素数２〜１５、好ましくは炭素数２〜１０、より好ましくは炭素数２〜６のアルキニル基が挙げられ、具体的にはエチニル基、１−プロピニル基、２−プロピニル基、１−ブチニル基、３−ブチニル基、ペンチニル基、ヘキシニル基等が挙げられる。
【００３８】
アルキル基に置換するアリール基としては、例えば炭素数６〜２０のアリール基が挙げられ、具体的にはフェニル基、ナフチル基、アントリル基、フェナンスリル基、ビフェニル基、ターフェニル基等が挙げられる。
【００３９】
アルキル基に置換するアラルキル基としては、前記アルキル基の少なくとも１個の水素原子が上記アリール基で置換された基が挙げられ、例えば炭素数７〜１２のアラルキル基が好ましく、具体的にはベンジル基、２−フェニルエチル基、１−フェニルプロピル基、３−ナフチルプロピル基等が挙げられる。
【００４０】
アルキル基に置換する脂肪族複素環基としては、例えば炭素数２〜１４で、異種原子として少なくとも１個、好ましくは１〜３個の窒素原子、酸素原子、硫黄原子等のヘテロ原子を含んでいる、５〜８員、好ましくは５又は６員の、単環の脂肪族複素環基、或いは多環又は縮合環の脂肪族複素環基が挙げられる。脂肪族複素環基の具体例としては、例えば、ピロリジル−２−オン基、ピペリジノ基、ピペラジニル基、モルホリノ基、テトラヒドロフリル基、テトラヒドロピラニル基、テトラヒドロチエニル基等が挙げられる。
【００４１】
アルキル基に置換する芳香族複素環基としては、例えば炭素数２〜１５で、異種原子として少なくとも１個、好ましくは１〜３個の窒素原子、酸素原子、硫黄原子等のヘテロ原子を含んでいる、５〜８員、好ましくは５又は６員の、単環式ヘテロアリール基、或いは多環式又は縮合環式のヘテロアリール基が挙げられ、具体的にはフリル基、チエニル基、ピリジル基、ピリミジル基、ピラジル基、ピリダジル基、ピラゾリル基、イミダゾリル基、オキサゾリル基、チアゾリル基、ベンゾフリル基、ベンゾチエニル基、キノリル基、イソキノリル基、キノキサリル基、フタラジル基、キナゾリル基、ナフチリジル基、シンノリル基、ベンゾイミダゾリル基、ベンゾオキサゾリル基、ベンゾチアゾリル基等が挙げられる。
【００４２】
アルキル基に置換するアルコキシ基としては、直鎖状でも分岐状でも或いは環状でもよく、例えば炭素数１〜６のアルコキシ基が挙げられ、具体的にはメトキシ基、エトキシ基、ｎ−プロポキシ基、イソプロポキシ基、ｎ−ブトキシ基、２−ブトキシ基、イソブトキシ基、ｔｅｒｔ−ブトキシ基、ｎ−ペンチルオキシ基、２−メチルブトキシ基、３−メチルブトキシ基、２，２−ジメチルプロピルオキシ基、ｎ−ヘキシルオキシ基、２−メチルペンチルオキシ基、３−メチルペンチルオキシ基、４−メチルペンチルオキシ基、５−メチルペンチルオキシ基、シクロヘキシルオキシ基、メトキシメトキシ基、２−エトキシエトキシ基等が挙げられる。
【００４３】
アルキル基に置換するアルキレンジオキシ基としては、例えば炭素数１〜３のアルキレンジオキシ基が挙げられ、具体的にはメチレンジオキシ基、エチレンジオキシ基、トリメチレンジオキシ基、プロピレンジオキシ基、イソプロピリデンジオキシ基等が挙げられる。
【００４４】
アルキル基に置換するアリールオキシ基としては、例えば炭素数６〜１４のアリールオキシ基が挙げられ、具体的にはフェノキシ基、トリルオキシ基、キシリルオキシ基、ナフトキシ基、アントリルオキシ基等が挙げられる。
【００４５】
アルキル基に置換するアラルキルオキシ基としては、例えば炭素数７〜１２のアラルキルオキシ基が挙げられ、具体的にはベンジルオキシ基、４−メトキシフェニルメトキシ基、１−フェニルエトキシ基、２−フェニルエトキシ基、１−フェニルプロポキシ基、２−フェニルプロポキシ基、３−フェニルプロポキシ基、１−フェニルブトキシ基、３−フェニルブトキシ基、４−フェニルブトキシ基、１−フェニルペンチルオキシ基、２−フェニルペンチルオキシ基、３−フェニルペンチルオキシ基、４−フェニルペンチルオキシ基、５−フェニルペンチルオキシ基、１−フェニルヘキシルオキシ基、２−フェニルヘキシルオキシ基、３−フェニルヘキシルオキシ基、４−フェニルヘキシルオキシ基、５−フェニルヘキシルオキシ基、６−フェニルヘキシルオキシ基等が挙げられる。
【００４６】
アルキル基に置換するヘテロアリールオキシ基としては、例えば、異種原子として少なくとも１個、好ましくは１〜３個の窒素原子、酸素原子、硫黄原子等のヘテロ原子を含んでいる、炭素数２〜１４のヘテロアリールオキシ基が挙げられ、具体的には、２−ピリジルオキシ基、２−ピラジルオキシ基、２−ピリミジルオキシ基、２−キノリルオキシ基等が挙げられる。
【００４７】
アルキル基に置換するアルキルチオ基としては、直鎖状でも分岐状でも或いは環状でもよく、例えば炭素数１〜６のアルキルチオ基が挙げられ、具体的にはメチルチオ基、エチルチオ基、ｎ−プロピルチオ基、イソプロピルチオ基、ｎ−ブチルチオ基、２−ブチルチオ基、イソブチルチオ基、ｔｅｒｔ−ブチルチオ基、ペンチルチオ基、ヘキシルチオ基、シクロヘキシルチオ基等が挙げられる。
【００４８】
アルキル基に置換するアリールチオ基としては、例えば炭素数６〜１４のアリールチオ基が挙げられ、具体的にはフェニルチオ基、トリルチオ基、キシリルチオ基、ナフチルチオ基等が挙げられる。
【００４９】
アルキル基に置換するアラルキルチオ基としては、例えば炭素数７〜１２のアラルキルチオ基が挙げられ、具体的にはベンジルチオ基、２−フェネチルチオ基等が挙げられる。
【００５０】
アルキル基に置換するヘテロアリールチオ基としては、例えば、異種原子として少なくとも１個、好ましくは１〜３個の窒素原子、酸素原子、硫黄原子等のヘテロ原子を含んでいる、炭素数２〜１４のヘテロアリールチオ基が挙げられ、具体的には、４−ピリジルチオ基、２−ベンズイミダゾリルチオ基、２−ベンズオキサゾリルチオ基、２−ベンズチアゾリルチオ基等が挙げられる。
【００５１】
アルキル基に置換する置換アミノ基としては、アミノ基の１個又は２個の水素原子がアルキル基、アリール基又はアラルキル基等の置換基で置換されたアミノ基が挙げられる。アルキル基で置換されたアミノ基、即ちアルキル基置換アミノ基の具体例としては、Ｎ−メチルアミノ基、Ｎ，Ｎ−ジメチルアミノ基、Ｎ，Ｎ−ジエチルアミノ基、Ｎ，Ｎ−ジイソプロピルアミノ基、Ｎ−シクロヘキシルアミノ基等のモノ又はジアルキルアミノ基が挙げられる。 アリール基で置換されたアミノ基、即ちアリール基置換アミノ基の具体例としては、Ｎ−フェニルアミノ基、Ｎ，Ｎ−ジフェニルアミノ基、Ｎ，Ｎ−ジトリルアミノ基、Ｎ−ナフチルアミノ基、Ｎ−ナフチル−Ｎ−フェニルアミノ基等のモノ又はジアリールアミノ基が挙げられる。 アラルキル基で置換されたアミノ基、即ちアラルキル基置換アミノ基の具体例としては、Ｎ−ベンジルアミノ基、Ｎ，Ｎ−ジベンジルアミノ基等のモノ又はジアラルキルアミノ基が挙げられる。
【００５２】
アルキル基に置換する三置換シリル基としては、例えば、トリメチルシリル基、トリエチルシリル基、トリイソプロピルシリル基、ｔｅｒｔ−ブチルジメチルシリル基、ｔｅｒｔ−ブチルジフェニルシリル基、トリフェニルシリル基等が挙げられる。
【００５３】
アルキル基に置換するハロゲン原子としては、フッ素原子、塩素原子、臭素原子、ヨウ素原子が挙げられ、ハロゲン化されたアルキル基としては、例えばモノフルオロメチル基、ジフルオロメチル基、トリフルオロメチル基、ペンタフルオロエチル基等が挙げられる。
【００５４】
これらの置換基のうち、炭化水素基、脂肪族複素環基、芳香族複素環基、アルコキシ基、アルキレンジオキシ基、アリールオキシ基、アラルキルオキシ基、ヘテロアリールオキシ基、アルキルチオ基、アリールチオ基、アラルキルチオ基、ヘテロアリールチオ基又は置換アミノ基は、上記置換基の群から選ばれる基によってさらに置換基を有していてもよい。
【００５５】
（アルケニル基）
Ｒ１で表されるアルケニル基としては、炭素数２〜１５、好ましくは炭素数２〜１０、より好ましくは炭素数２〜６の直鎖あるいは分岐してもよい鎖状又は環状のアルケニル基が挙げられ、具体的にはビニル基、１−プロペニル基、２−プロペニル基、１−ブテニル基、２−ブテニル基、３−ブテニル基、１−ペンテニル基、２−ペンテニル基、３−ペンテニル基、４−ペンテニル基、１−シクロペンテニル基、３−シクロペンテニル基、１−ヘキセニル基、２−ヘキセニル基、３−ヘキセニル基、４−ヘキセニル基、５−ヘキセニル基、１−シクロヘキセニル基、３−シクロヘキセニル基等が挙げられる。
【００５６】
また、これらのアルケニル基は置換基を有していてもよく、該置換基としてはアルキル基、アリール基、複素環基（脂肪族複素環基、芳香族複素環基）、ハロゲン原子等が挙げられ、その具体例としては、アルキル基の置換基として前記したようなものが挙げられる。
【００５７】
（アルキニル基）
Ｒ１で表されるアルキニル基としては、炭素数２〜１５、好ましくは炭素数２〜１０、より好ましくは炭素数２〜６の、直鎖又は分岐していてもよいアルキニル基が挙げられ、具体的には、エチニル基、１−プロピニル基、２−プロピニル基、１−ブチニル基、２−ブチニル基、３−ブチニル基、１−ペンチニル基、２−ペンチニル基、３−ペンチニル基、４−ペンチニル基、１−ヘキシニル基、２−ヘキシニル基、３−ヘキシニル基、４−ヘキシニル基、５−ヘキシニル基等が挙げられる。
【００５８】
また、これらアルキニル基は置換基を有していてもよく、該置換基としてはアルキル基、アリール基、複素環基（脂肪族複素環基、芳香族複素環基）、三置換シリル基等が挙げられ、その具体例としては、アルキル基の置換基として前記したようなものが挙げられる。
【００５９】
（アリール基）
Ｒ１で表されるアリール基としては、具体的には、アルキル基の置換基としてのアリール基として前記したようなアリール基が挙げられる。
【００６０】
また、これらアリール基は置換基を有してもよく、該置換基としてはアルキル基、アリール基、複素環基（脂肪族複素環基、芳香族複素環基）、ハロゲン原子等が挙げられ、その具体例としては、アルキル基の置換基として前記したようなものが挙げられる。
【００６１】
（置換基を有していてもよいアルコキシカルボニル基）
Ｒ１で表される置換基を有していてもよいアルコキシカルボニル基としては、アルコキシカルボニル基及び置換アルコキシカルボニル基が挙げられる。アルコキシカルボニル基としては、直鎖状でも分岐状でも或いは環状でもよく、例えば炭素数２〜２０のアルコキシカルボニル基が挙げられ、その具体例としては、メトキシカルボニル基、エトキシカルボニル基、ｎ−プロポキシカルボニル基、イソプロポキシカルボニル基、ｎ−ブトキシカルボニル基、ｔｅｒｔ−ブトキシカルボニル基、ペンチルオキシカルボニル基、ヘキシルオキシカルボニル基、２−エチルヘキシルオキシカルボニル基、ラウリルオキシカルボニル基、ステアリールオキシカルボニル基、シクロヘキシルオキシカルボニル基等が挙げられる。
【００６２】
また、これらのアルコキシカルボニル基は、置換基を有していてもよく、該置換基としてはアルキル基、アリール基、ハロゲン原子、複素環基（脂肪族複素環基、芳香族複素環基）、アルコキシ基等が挙げられ、その具体例としては、アルキル基の置換基として前記したようなものが挙げられる。
【００６３】
（置換基を有していてもよいアリールオキシカルボニル基）
Ｒ１で表される置換基を有していてもよいアリールオキシカルボニル基としては、アリールオキシカルボニル基及び置換アリールオキシカルボニル基が挙げられる。アリールオキシカルボニル基としては、例えば炭素数７〜２０のアリールオキシカルボニル基が挙げられ、その具体例としては、フェノキシカルボニル基、ナフチルオキシカルボニル基等が挙げられる。
【００６４】
また、これらのアリールオキシカルボニル基は、そのアリール基上に置換基を有していてもよく、該置換基としては、アルキル基、アリール基、アルコキシ基、ハロゲン原子等が挙げられ、その具体例としては、アルキル基の置換基として前記したようなものが挙げられる。
【００６５】
（置換シリル基）
Ｒ１で表される置換シリル基としては、例えば、シリル基の３個の水素原子がアルキル基、置換されたアルキル基、アリール基、置換されたアリール基、アラルキル基、置換されたアラルキル基、アルコキシ基、置換されたアルコキシ基等の置換基で置換された三置換シリル基が挙げられる。アルキル基、置換されたアルキル基、アリール基、置換されたアリール基、アラルキル基、置換されたアラルキル基、アルコキシ基、置換されたアルコキシ基としては、アルキル基の置換基として前記した各基と同じであってよい。
【００６６】
置換シリル基の具体例としては、例えば、トリアルキルシリル基（アルキル基の炭素数は好ましくは１〜１０）、トリアリールシリル基、トリアラルキルシリル基（アラルキル基の炭素数は好ましくは２〜１０）、ジアルキルアリールシリル基（アルキル基の炭素数は好ましくは１〜１０）、ジアリールアルキルシリル基（アルキル基の炭素数は好ましくは１〜１０）等が挙げられる。具体例としては、トリメチルシリル基、トリエチルシリル基、トリイソプロピルシリル基、ジメチルイソプロピルシリル基、ジエチルイソプロピルシリル基、ｔ−ブチルジメチルシリル基、ｔｅｒｔ−ブチルジフェニルシリル基、ジ−ｔ−ブチルメチルシリル基、トリベンジルシリル基、トリフェニルシリル基、トリキシリルシリル基、ジフェニルメチルシリル基等が挙げられる。また、ｔｅｒｔ−ブチルメトキシフェニルシリル基、ｔｅｒｔ−ブトキシジフェニルシリル基等が挙げられる。
【００６７】
［Ｒ2］
Ｒ2は、それぞれ独立して、水素原子、ハロゲン原子、置換基を有していてもよい炭化水素基又は水酸基を示す。ハロゲン原子、置換基を有していてもよい炭化水素基についてはＲ1におけるのと同義である。
【００６８】
［Ｒ3］
Ｒ3は、それぞれ独立して、水素原子、置換基を有していてもよい炭化水素基又は水酸基を示す。置換基を有していてもよい炭化水素基についてはＲ1におけるのと同義である。
【００６９】
［Ｒ4］
Ｒ4は、それぞれ独立して、水素原子、ハロゲン原子、置換基を有していてもよい炭化水素基、水酸基、置換基を有していてもよいアルコキシカルボニル基、置換基を有していてもよいアリールオキシカルボニル基、置換基を有していてもよいアルコキシ基又は置換基を有していてもよいアリールオキシ基を示す。置換基を有していてもよい炭化水素基、水酸基、置換基を有していてもよいアルコキシカルボニル基、置換基を有していてもよいアリールオキシカルボニル基、置換基を有していてもよい炭化水素基についてはＲ1におけるのと同義である。
【００７０】
（置換基を有していてもよいアルコキシ基）
Ｒ4で表される置換基を有していてもよいアルコキシル基としては、アルコキシ基及び置換アルコキシル基が挙げられる。アルコキシル基としては、直鎖状でも分岐状でも或いは環状でもよく、例えば炭素数２〜２０のアルコキシ基が挙げられ、その具体例としては、メトキシ基、エトキシ基、ｎ−プロポキシ基、イソプロポキキシ基、ｎ−ブトキシ基、ｔｅｒｔ−ブトキシ基、ペンチルオキシ基、ヘキシルオキシ基、２−エチルヘシルオキシ基、ラウリルオキシ基、ステアリルオキシ基、シクロヘキシルオキシ基等が挙げられる。
【００７１】
また、これらのアルコキシ基は、置換基を有していてもよく、該置換基としてはアルキル基、アリール基、ハロゲン原子、複素環基（脂肪族複素環基、芳香族複素環基）、アルコキシ基等が挙げられ、その具体例としては、アルキル基の置換基として前記したようなものが挙げられる。
【００７２】
（置換基を有していてもよいアリールオキシ基）
Ｒ4で表される置換基を有していてもよいアリールオキシ基としては、アリールオキシ基及び置換アリールオキシ基が挙げられる。アリールオキシ基としては、例えば炭素数７〜２０のアリールオキシ基が挙げられ、その具体例としては、フェノキシ基、ナフチルオキシ基等が挙げられる。
【００７３】
また、これらのアリールオキシ基は、そのアリール基上に置換基を有していてもよく、該置換基としては、アルキル基、アリール基、アルコキシ基、ハロゲン原子等が挙げられ、その具体例としては、アルキル基の置換基として前記したようなものが挙げられる。
【００７４】
［Ｒ5］
Ｒ5は、それぞれ独立して、水素原子、ハロゲン原子、置換基を有していてもよい炭化水素基、水酸基、置換基を有していてもよいアルコキシカルボニル基又は置換基を有していてもよいアリールオキシカルボニル基を示す。置換基を有していてもよい炭化水素基、置換基を有していてもよいアルコキシカルボニル基及び置換基を有していてもよいアリールオキシカルボニル基については、それぞれＲ1におけるのと同義である。
【００７５】
［Ｒ6］
Ｒ6は、それぞれ独立して、水素原子又は置換基を有していてもよい炭化水素基を示す。ただし、同一炭素原子に結合する２つのＲ6の少なくとも一方が置換基を有していてもよい炭化水素基である。置換基を有していてもよい炭化水素基は、Ｒ1におけるのと同義である。
【００７６】
上記で示すＲ1、Ｒ2、Ｒ3、Ｒ4、Ｒ5、Ｒ6については、不斉反応の触媒として用いた場合に、収率や光学純度に影響を及ぼすことがある。したがって、本化合物の使用目的に応じて、Ｉ〜Ｘを不斉ブロモラクトン合成反応への適用例を適宜参照して選択することができる。すなわち、本化合物におけるＡ及びＡにおける各種置換基も、このような各種キラルリン酸化合物の置換基と同様の傾向を示すため、このような情報をもとに、目的とする不斉反応に好適な触媒構成とすることができる。
【００７７】
本化合物のＡとしては、ビナフチル基を好ましく用いることができる。例えば、上記したＩ〜Ｖ、ＩＸ及びＸI等が挙げられる。なかでも、Ｉを好ましく用いることができる。
【００７８】
【化１２】
2018065117.tif 000013
【００７９】
Ａとしては、具体的には、以下の式で表されるユニットを用いることができる。以下の式において、Ｒ1は、それぞれ同一であってもよいし異なっていてもよい。また、以下の式において示すほか、Ｒ1は、それぞれ既に説明した置換基を有することもできる。Ｒ2は、水素原子、ハロゲン原子、水酸基、置換基を有していても良いアルコキシ基、同アリール基、同アルキル基、シリル基であることが好ましい。Ｒ2は、水素原子であってもよい。
【００８０】
【化１３】
2018065117.tif 000014
【００８１】
本化合物において、Ｒ10は、水素原子、水酸基、置換基を有していてもよい炭化水素基、置換基を有していても良いアミノ基、置換基を有していてもよいアルコキシ基又は置換基を有していてもよいアリールオキシ基を示す。Ｒ10は電子供与性を有していてもよい。例えば、Ｒ10は、メチル基以上の電子供与性を有することができる。かかる電子供与性基としては、例えば、置換基を有していてもよいアルコキシ基、置換基を有していてもよい例えば、アルキル基などの炭化水素基、置換基を有していてもよいアミノ基である。
【００８２】
置換基を有していてもよい炭化水素基は、Ｒ1において示すものと同義であり、好ましくは、炭素数が１〜１０以下であり、より好ましくは１〜４以下である。また、置換基においてもＲ1において示すものと同義である。好ましくは、炭素数が１〜１０であり（好ましくはアルキル基）、より好ましくは１〜４である（好ましくはアルキル基）。
【００８３】
置換基を有していてもよいアルコキシ基及び置換基を有していてもよいアリールオキシ基についても、Ｒ1において示すものと同義であり、好ましくは、炭素数が１〜１０以下であり、より好ましくは炭素数１〜４以下のアルコキシ基である。また、置換基においてもＲ1において示すものと同義である。好ましくは、メトキシ基である。
【００８４】
置換基を有していてもよいアミノ基としては、アミノ基及び置換アミノ基が挙げられ、置換アミノ基としては、アミノ基の１個又は２個の水素原子が保護基等の置換基で置換されたアミノ基が挙げられる。該保護基としては、アミノ保護基として用いられるものであれば何れも使用可能であり、例えば「ＰＲＯＴＥＣＴＩＶＥ ＧＲＯＵＰＳ ＩＮ ＯＲＧＡＮＩＣ ＳＹＮＴＨＥＳＩＳ ＴＨＩＲＤ ＥＤＩＴＩＯＮ（ＪＯＨＮ ＷＩＬＥＹ ＆ ＳＯＮＳ、ＩＮＣ．（１９９９）」にアミノ保護基として記載されているものが挙げられる。アミノ保護基の具体例としては、置換基を有していてもよい炭化水素基（例えば、アルキル基、アリール基、アラルキル基等）、アシル基、置換基を有していてもよいアルコキシカルボニル基、置換基を有していてもよいアリールオキシカルボニル基、置換基を有していてもよいアラルキルオキシカルボニル基等が挙げられる。置換基を有していてもよい炭化水素基、アシル基、置換基を有していてもよいアルコキシカルボニル基、置換基を有していてもよいアリールオキシカルボニル基及び置換基を有していてもよいアラルキルオキシカルボニル基は、上記保護基において説明された各基と同じであってよい。 
【００８５】
アルキル基で置換されたアミノ基、即ちアルキル基置換アミノ基の具体例としては、Ｎ−メチルアミノ基、Ｎ，Ｎ−ジメチルアミノ基、Ｎ，Ｎ−ジエチルアミノ基、Ｎ，Ｎ−ジイソプロピルアミノ基、Ｎ−メチル−Ｎ−イソプロピルアミノ基、Ｎ−シクロヘキシルアミノ基等のモノ又はジアルキルアミノ基が挙げられる。好ましくは、Ｎ，Ｎ−ジメチルアミノ基である。
【００８６】
アリール基で置換されたアミノ基、すなわち、アリール基置換アミノ基の具体例としては、Ｎ−フェニルアミノ基、Ｎ，Ｎ−ジフェニルアミノ基、Ｎ−ナフチルアミノ基、Ｎ−ナフチル−Ｎ−フェニルアミノ基等のモノ又はジアリールアミノ基が挙げられる。
【００８７】
アラルキル基で置換されたアミノ基、即ちアラルキル基置換アミノ基の具体例としては、Ｎ−ベンジルアミノ基、Ｎ，Ｎ−ジベンジルアミノ基等のモノ又はジアラルキルアミノ基が挙げられる。 また、Ｎ−メチル−Ｎ−フェニルアミノ基、Ｎ−ベンジル−Ｎ−メチルアミノ基等のジ置換アミノ基も挙げられる。 
【００８８】
アシル基で置換されたアミノ基、即ちアシルアミノ基の具体例としては、ホルミルアミノ基、アセチルアミノ基、プロピオニルアミノ基、ピバロイルアミノ基、ペンタノイルアミノ基、ヘキサノイルアミノ基、ベンゾイルアミノ基、−ＮＨＳＯ２ＣＨ３、−ＮＨＳＯ２Ｃ６Ｈ５、−ＮＨＳＯ２Ｃ６Ｈ４ＣＨ３、−ＮＨＳＯ２ＣＦ３、−ＮＨＳＯ２Ｎ（ＣＨ３）２等が挙げられる。 
【００８９】
アルコキシカルボニル基で置換されたアミノ基、即ちアルコキシカルボニルアミノ基の具体例としては、メトキシカルボニルアミノ基、エトキシカルボニルアミノ基、ｎ−プロポキシカルボニルアミノ基、ｎ−ブトキシカルボニルアミノ基、ｔｅｒｔ−ブトキシカルボニルアミノ基、ペンチルオキシカルボニルアミノ基、ヘキシルオキシカルボニルアミノ基等が挙げられる。 
【００９０】
アリールオキシカルボニル基で置換されたアミノ基、即ちアリールオキシカルボニルアミノ基の具体例としては、アミノ基の１個の水素原子が前記したアリールオキシカルボニル基で置換されたアミノ基が挙げられ、その具体例としてフェノキシカルボニルアミノ基、ナフチルオキシカルボニルアミノ基等が挙げられる。 
【００９１】
アラルキルオキシカルボニル基で置換されたアミノ基、即ちアラルキルオキシカルボニルアミノ基の具体例としては、ベンジルオキシカルボニルアミノ基等が挙げられる。 
【００９２】
Ｒ11は、水素原子、水酸基、置換基を有していてもよい炭化水素基、置換基を有していてもよいアミノ基、置換基を有していてもよいアルコキシ基又は置換基を有していてもよいアリールオキシ基を示す。これらについては、いずれも、Ｒ1及びＲ10におけるのと同義である。Ｒ11は、立体障害が小さいことが好ましく、より好ましくは水素原子である。
【００９３】
本化合物は、後述するように、キラルブロモラクトンを合成するのに有用な触媒である。本化合物を適用できる、キラルブロモラクトン合成反応は特に限定するものではないが、多置換オレフィンを有するカルボン酸を基質とし、ブロモ化剤を用いることができる。キラルブロモラクトン合成反応における各種態様は後段で詳述する。
【００９４】
なお、キラルブロモラクトンの合成に際しての環化様式として、例えば、二置換オレフィンを有するカルボン酸で例示すると、概して以下の３種が挙げられる。すなわち、5-exo-trig環化とよばれる５員環を形成して環の外に臭素が導入される場合（eq １,３）と、6-endo-trig環化という６員環を形成して環の内側に臭素が導入される場合（eq ２）がある。ブロモラクトン化に限らず、環化反応の一般的事項として5員環形成が早く進行するが、以下のeq １のような基質においては、おおよそ5-exo-trig環化が進行すると予測できるが、eq ２とeq ３の基質では二つの環化様式が考えられるため、同一触媒を用いた場合に、eq ２とeq ３のどちらが優先的に進行するか、環化位置選択性を予想するのは困難である（Tetrahedron Letters 54(2013), 7004-7008）。
【００９５】
【化１４】
2018065117.tif 000015
【００９６】
従来、三置換二重結合に対する不斉ブロモラクトン化反応の報告例は限定的であり、当該報告例があっても低い選択性にとどまっている（例えば、三置換二重結合に対する五員環形成の参考文献として、2012JACS, Table 2, entry d, f ; 2013TL, Table 2, entry 4）。
【００９７】
本化合物によれば、三置換オレフィンを有するカルボン酸における5-exo-trig環化様式での不斉ブロモラクトン化（以下のeq ４）を高い選択性で実現できる。また、本化合物によれば、三置換オレフィンを有するカルボン酸における、6-endo-trig環化様式での不斉ブロモラクトン化（eq ５）も高い選択性で実現できる。
【００９８】
【化１５】
2018065117.tif 000016
【００９９】
（本化合物の製造方法）
本化合物は、当業者であれば、適宜公知の合成方法に倣って本化合物及び本化合物を合成することができる。
【０１００】
例えば、Ａとして、ユニットＩを備える本化合物は、特に制限はないが、公知の光学活性ビナフチルリン酸誘導体の製造方法にアミノピリジン化合物を適用することで合成することができる。ビナフチルリン酸誘導体の製造方法としては、例えば、Ａｎｇｅｗ．Ｃｈｅｍ．Ｉｎｔ．Ｅｄ．，４３，１５６６（２００４）やＪ．Ａｍ．Ｃｈｅｍ．Ｓｏｃ．，１２８，８４（２００６）、特表２００４−９６７５３号公報に記載の方法を用いることができる。
【０１０１】
例えば、Ａとして、ユニットＩＩを備える本化合物は、特に制限はないが、例えば、特表２００４−９６７５３号公報に記載の方法により製造することができる。
【０１０２】
例えば、Ａとして、ユニットＩＩＩを備える本化合物は、特に制限はないが、特開２０１０−４７４９０号公報に記載の方法により製造することができる。
【０１０３】
例えば、Ａとして、ユニットＩＶを備える本化合物は、特に制限はないが、Ｊ．Ａｍ．Ｃｈｅｍ．Ｓｏｃ．，１１８，３３９２（１９９６）に記載の方法により製造することができる。
【０１０４】
例えば、Ａとして、ユニットＶを備える本化合物は、特に制限はないが、Ｊ．Ａｍ．Ｃｈｅｍ．Ｓｏｃ．，１１８，３３９２（１９９６）に記載の方法により製造することができる。
【０１０５】
例えば、Ａとして、ユニットＶＩ、ＶＩＩ及びＶＩＩＩを備える本化合物は、特に制限はないが、Ｊ．Ａｍ．Ｃｈｅｍ．Ｓｏｃ．，１１８，３３９２（１９９６）を参照して製造することができる。
【０１０６】
例えば、Ａとして、ユニットＩＸを備える本化合物は、特に制限はないが、Org. Lett., 15, 5890 (2013)に記載の方法により製造することができる。
【０１０７】
例えば、Ａとして、ユニットＸを備える本化合物は、特に制限はないが、Adv. Synth. Catal., 348, 2363 (2006)に記載の方法により製造することができる。
【０１０８】
また、Ａにおける芳香族環に対する修飾、すなわち、置換基の導入方法については、公知の通常用いられる方法で行うことができ、例えば、Ｂｒ化、及びアミノ化には、Ｏｒｇ．Ｐｒｏｃｅｓｓ Ｒｅｓ．Ｄｅｖ．（２００７）、１１（３）、６２８−６３２に記載の方法等が用いることができる。また、アリール化の例としてJ. Org. Chem. 65, 6319 (2000)、アルキル化の例としてTetrahedron, 56, 2865 (2000)、水酸基およびアルコキシ基の例としてTetrahedron Asymmetry, 7, 2199 (1996)、シリル化の例としてTetrahedron, Lett., 33, 2253 (1992)が挙げられる。
【０１０９】
本化合物の具体的な製造方法の一例を以下に説明する。他の本化合物及び本化合物も、以下のビナフトール化合物に替えて他の不斉源化合物を適用し、以下の製造方法に準じて操作を行うことにより製造することができる。
【０１１０】
＜ユニットＩにおいて、Ｒ1＝Ｒ1＝Ｐｈｅ、Ｒ2＝Ｒ2＝Ｈであるピリジルリン酸アミドの製造＞
光学活性３，３’-フェニル置換ビナフトールに対し、CH2Cl2中、トリエチルアミン等の塩基、DMAP等の存在下、オキシ塩化リンなどの公知のリン酸化剤を作用させる条件にて反応させた後、アセトニトリル、２-アミノピリジンを加えることで目的のピリジルリン酸アミドを得ることができる。すなわち、ナフトール誘導体及びDMAPに塩化メチレンを加えて撹拌し、冷却後、オキシ塩化リン、トリエチルアミンを加え、室温で１時間程度撹拌する。その後、アセトにトリル等で溶解した２−アミノピリジンを加えて、撹拌し、その後、精製水を加えて反応を停止し、水層を塩化メチレンで抽出し、有機層を洗浄乾燥し、吸引ろ過する。ろ液を濃縮後、シリカゲルカラムにて精製し、目的のピリジルリン酸アミドを得ることができる。
【０１１１】
本化合物を合成するのに際しては、原料のほか、リン酸化剤、有機塩基や無機塩基等の塩基、ブレンステッド酸の種類や使用量、溶媒の種類や量については当業者であれば適宜選択して用いることができる。
【０１１２】
（キラルブロモラクトンの合成反応）
本化合物は、キラルブロモラクトンを合成する不斉合成反応の有機触媒として用いることができる。
【０１１３】
式（１）で表される本化合物は、１種類を単独で用いることもできるし、２種以上を組合せて用いることもできる。
【０１１４】
本化合物は、キラルブロモラクトンを合成する反応において有効な触媒として使用することができる。 
【０１１５】
本化合物によれば、多置換オレフィンを有するカルボン酸とブロモ化剤とから、医薬、農薬及び化学品等及びその合成中間体として有用なキラルブロモラクトンを合成することができる。当業者は、本化合物における不斉源の選択、不斉源における置換基の選択、不斉原以外における置換基の選択ほか、ブロモ化剤の種類、基質の種類、合成条件（温度、時間、溶媒等）を適宜選択することで、キラルブロモラクトン合成反応を実現できる。
【０１１６】
（基質化合物）
本不斉合成反応において、基質化合物として、多置換オレフィンを有するカルボン酸（多置換アルケニルカルボン酸）を用いることができる。多置換アルケニルカルボン酸としては、例えば、以下の式で表されるアルケニルカルボン酸を用いることができる。アルケニルカルボン酸としては、Ｒ21、Ｒ22及びＲ23のうち、いずれか１が水素以外、すなわち、置換され、残りが水素原子である二置換アルケニルカルボン酸が挙げられる。また、多置換アルケニルカルボン酸としては、Ｒ21とＲ22、Ｒ21とＲ23との２つが水素原子以外の基で置換され、残部が水素原子である三置換アルケニルカルボン酸（それぞれＺ体及びＥ体）や、Ｒ22とＲ23が水素原子以外の基で置換され、残部が水素原子である三置換アルケニルカルボン酸が挙げられる。
【０１１７】
【化１６】
2018065117.tif 000017
【０１１８】
上記式におけるＲ21は、水素原子、置換されていてもよい炭化水素基等が挙げられる。Ｒ21における置換されていてもよい炭化水素基としては、本化合物における「置換されていてもよい炭化水素基」と同義である。炭化水素基としては、例えば、アルキル基、アリール基、アラルキル基等が挙げられる。
【０１１９】
上記式におけるＲ22は、水素原子、置換されていてもよい炭化水素基等が挙げられる。Ｒ22における置換されていてもよい炭化水素基としては、本化合物における「置換されていてもよい炭化水素基」と同義である。炭化水素基としては、例えば、アルキル基、アリール基、アラルキル基等が挙げられる。
【０１２０】
上記式におけるＲ23は、水素原子、置換されていてもよい炭化水素基等が挙げられる。Ｒ24における置換されていてもよい炭化水素基としては、本化合物における「置換されていてもよい炭化水素基」と同義である。炭化水素基としては、例えば、アルキル基、アリール基、アラルキル基等が挙げられる。
【０１２１】
Ｒ21、Ｒ22、Ｒ23で表される置換されていてもよいアルキル基としては、特に限定しないが、それぞれ独立して、直鎖状でも、分岐状でも或いは環状でもよい。アルキル基としては、例えば炭素数１〜２０、好ましくは炭素数１〜１０、より好ましくは炭素数１〜６の直鎖又は分岐もしくは環状のアルキル基が好ましく、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、ネオペンチル基、ｔｅｒｔ−ペンチル基、ヘキシル基、ヘプチル基、オクチル基、ノニル基、デシル基、セチル基、ステアリル基等の直鎖又は分岐のアルキル基；シクロペンチル基、メチルシクロペンチル基、シクロヘキシル基、メチルシクロヘキシル基、シクロオクチル基等のシクロアルキル基等が挙げられる。例えば、メチル基、エチル基を含む炭素数１〜４のアルキル基や、シクロヘキシル基などの炭素数５〜８のシクロアルキル基が挙げられる。
【０１２２】
Ｒ21、Ｒ22、Ｒ23で表される置換されていてもよいアルケニル基としては、特に限定するものではないが、それぞれ独立して、炭素数２〜１５、好ましくは炭素数２〜１０、より好ましくは炭素数２〜６の直鎖あるいは分岐してもよい鎖状又は環状のアルケニル基が挙げられ、具体的にはビニル基、１−プロペニル基、２−プロペニル基、１−ブテニル基、２−ブテニル基、３−ブテニル基、１−ペンテニル基、２−ペンテニル基、３−ペンテニル基、４−ペンテニル基、１−シクロペンテニル基、３−シクロペンテニル基、１−ヘキセニル基、２−ヘキセニル基、３−ヘキセニル基、４−ヘキセニル基、５−ヘキセニル基、１−シクロヘキセニル基、３−シクロヘキセニル基等が挙げられる。
【０１２３】
（アルキニル基）
Ｒ21、Ｒ22、Ｒ23で表される置換されていてもよいアルキニル基としては、炭素数２〜１５、好ましくは炭素数２〜１０、より好ましくは炭素数２〜６の、直鎖又は分岐していてもよいアルキニル基が挙げられ、具体的には、エチニル基、１−プロピニル基、２−プロピニル基、１−ブチニル基、２−ブチニル基、３−ブチニル基、１−ペンチニル基、２−ペンチニル基、３−ペンチニル基、４−ペンチニル基、１−ヘキシニル基、２−ヘキシニル基、３−ヘキシニル基、４−ヘキシニル基、５−ヘキシニル基等が挙げられる。
【０１２４】
（アリール基）
Ｒ21、Ｒ22、Ｒ23で表される置換されていてもよいアリール基としては、特に限定するものではないが、例えば炭素数６〜２０のアリール基が挙げられ、具体的にはフェニル基、ナフチル基、アントリル基、フェナンスリル基、ビフェニル基、ターフェニル基等が挙げられる。
【０１２５】
（アラルキル基）
Ｒ21、Ｒ22、Ｒ23で表される置換されていてもよいアラルキル基としては、前記アルキル基の少なくとも１個の水素原子が上記アリール基で置換された基が挙げられ、例えば炭素数７〜１２のアラルキル基が好ましく、具体的にはベンジル基、２−フェニルエチル基、１−フェニルプロピル基、３−ナフチルプロピル基等が挙げられる。
【０１２６】
Ｒ21、Ｒ22、Ｒ23で表される置換されていてもよい脂肪族複素環基としては、例えば炭素数２〜１４で、異種原子として少なくとも１個、好ましくは１〜３個の窒素原子、酸素原子、硫黄原子等のヘテロ原子を含んでいる、５〜８員、好ましくは５又は６員の、単環の脂肪族複素環基、或いは多環又は縮合環の脂肪族複素環基が挙げられる。脂肪族複素環基の具体例としては、例えば、ピロリジル−２−オン基、ピペリジノ基、ピペラジニル基、モルホリノ基、テトラヒドロフリル基、テトラヒドロピラニル基、テトラヒドロチエニル基等が挙げられる。
【０１２７】
Ｒ21、Ｒ22、Ｒ23で表される置換されていてもよい芳香族複素環基としては、例えば炭素数２〜１５で、異種原子として少なくとも１個、好ましくは１〜３個の窒素原子、酸素原子、硫黄原子等のヘテロ原子を含んでいる、５〜８員、好ましくは５又は６員の、単環式ヘテロアリール基、或いは多環式又は縮合環式のヘテロアリール基が挙げられ、具体的にはフリル基、チエニル基、ピリジル基、ピリミジル基、ピラジル基、ピリダジル基、ピラゾリル基、イミダゾリル基、オキサゾリル基、チアゾリル基、ベンゾフリル基、ベンゾチエニル基、キノリル基、イソキノリル基、キノキサリル基、フタラジル基、キナゾリル基、ナフチリジル基、シンノリル基、ベンゾイミダゾリル基、ベンゾオキサゾリル基、ベンゾチアゾリル基等が挙げられる。
【０１２８】
また、Ｒ21及びＲ22は、連結して環を形成していてもよい。かかる環は、Ｒ21及びＲ22が結合する二重結合を含む環であればよく、単環であってもよいし、２以上の環を有する多環であってもよい。これらの環は、置換されていてもよい。単環としては、特に限定するものではないが、Ｒ21、Ｒ22、Ｒ23において適用される、環状のアルケニル基、アリール基、アラルキル基、脂肪族複素環基、芳香族複素環基が挙げられる。例えば、シクロペンタジエニル基、シクロペンテニル基、フェニル基等が挙げられる。多環は、架橋環、縮合環、スピロ環及び環集合（集合環）のいずれであってもよい。多環としては、少なくとも、Ｒ21及びＲ22が結合する二重結合を含む環（部分）を含み、当該環を含んだ多環であればよい。例えば、インデニル基等が挙げられる。
【０１２９】
なお、上記した各種の炭化水素基における置換基は、既に説明した各種置換基がそのまま適用される。さらに、Ｒ21、Ｒ22、Ｒ23の炭化水素基における置換基としては、フッ素、塩素、臭素、ヨウ素等のハロゲン原子が挙げられる。
【０１３０】
アルケニルカルボン酸が三置換アルケニルカルボン酸であるとき、Ｒ21、Ｒ22、Ｒ23から選択される２つの置換部位は、一方が置換されていてもよいアルキル基であり、他方が置換されていてもよいアリール基又はアラルキル基であることが好ましい。
【０１３１】
例えば、一方が、置換されていてもよい、メチル基、エチル基、ｎ−プロピル基、ｉ−プロピル基、ｎ−ブチル基、ｓｅｃ−ブチル基、ｔｅｒｔ−ブチル基などの炭素数１〜４程度の鎖状アルキル基などの比較的嵩が小さい官能基群（これらの置換基を第１の官能基群ともいう。）とすることができる。
【０１３２】
また、他方が、置換されていてもよい、シクロヘキシル基などの炭素数５〜８程度の環状アルキル基、フッ素、塩素等のハロゲン原子、炭素数１〜４程度のアルキル基、炭素数１〜４程度のアルコキシ基などで置換されていてもよいアリール基などの第１の官能基群よりも嵩高い官能基群（これらの官能基を、第２の官能基群ともいう。）とすることができる。なお、フェニル基などのアリール基において、置換基による可能性ある置換部位は、特に限定するものではないが、例えば、アルケニルカルボン酸の二重結合に対する結合部分に対して、すなわち、当該結合部分を１位とすると、２位、３位及び４位のいずれであってもよいが、例えば、３位又は４位とすることができる。また、フェニル基などのアリール基において、置換基は、２以上であってもよい。
【０１３３】
例えば、特に限定するものではないが、５員環ブロモラクトンの合成を意図する場合には、Ｒ21、Ｒ22、Ｒ23のうち、Ｒ23を水素原子として、Ｒ22又はＲ21を、第１の官能基群から選択される官能基を備え、Ｒ21又はＲ22を、第２の官能基群から選択される官能基を備えるものとしてもよい。Ｒ21を、第２の官能基群から選択される官能基とし、Ｒ22を、第１の官能基群から選択される官能基とすることが、好適である。
【０１３４】
また、例えば、特に限定するものではないが、５員環ブロモラクトンの合成を意図する場合には、Ｒ21、Ｒ22、Ｒ23のうち、Ｒ22を水素原子として、Ｒ21又はＲ23を、第１の官能基群から選択される官能基を備えるものとし、Ｒ23又はＲ21を、第２の官能基群から選択される官能基を備えるものとしてもよい。Ｒ21を、第２の官能基群から選択される官能基とし、Ｒ23を、第１の官能基群から選択される官能基とすることが、好適である。
【０１３５】
以下に、アルケニルカルボン酸からの５員環ブロモラクトンの合成例を示す。
【０１３６】
【化１７】
2018065117.tif 000018
【０１３７】
また、例えば、特に限定するものではないが、６員環ブロモラクトンの合成を意図する場合には、Ｒ21、Ｒ22、Ｒ23のうち、Ｒ21を水素原子として、Ｒ22又はＲ23を、第１の官能基群から選択される官能基を備えるものとし、Ｒ23又はＲ22を、第２の官能基群から選択される官能基を備えるものとしてもよい。Ｒ22を、第２の官能基群から選択される官能基とし、Ｒ23を、第１の官能基群から選択される官能基とすることが、好適である。
【０１３８】
以下に、アルケニルカルボン酸からの６員環ロモラクトンの合成例を示す。
【０１３９】
【化１８】
2018065117.tif 000019
【０１４０】
なお、例示した５員環ブロモラクトン及び６員環ブロモラクトンにおける２つのキラル中心においていずれも逆配置の立体異性体を、用いる触媒の立体異性を逆にすることで合成することができる。
【０１４１】
なお、上記式で表されるアルケニルカルボン酸は、炭素鎖部分において二重結合に対してカルボキシル基側にある２つの炭素原子に結合する水素原子は、本不斉合成反応の成立を阻害しない範囲で置換されていてもよい。置換基の種類は特に限定するものではないが、例えば、炭素数１〜４程度の低級アルキル基等が挙げられる。
【０１４２】
（ブロモ化剤）
本不斉合成反応においては、公知のブロモ化剤から好適なブロモ化剤を適宜選択して用いることができる。ブロモ化剤としては、例えば、以下の式で表される化合物を用いることができる。Ｎ−Ｂｒ結合を有するブロモ化剤、Ｃ−Ｂｒ結合を有するブロモ化剤、Ｐ−Ｂｒ又はＳ−Ｂｒなど結合を有するブロモ化剤等が挙げられる。
【０１４３】
【化１９】
2018065117.tif 000020
【０１４４】
本不斉合成反応において、本化合物の使用量は、特に限定するものでなく、不斉合成反応の収率や選択率を考慮して適宜設定することができる。例えば、本化合物は、アルケニルカルボン酸に対して１ｍｏｌ％以上２０ｍｏｌ％以下使用することができる。また例えば、本化合物は、５ｍｏｌ％以上１５ｍｏｌ％以下使用することもできる。さらに例えば、５モル％以上１０ｍｏｌ％以下使用することができる。
【０１４５】
本不斉合成反応において、基質化合物の使用量は、特に限定するものではなく、不斉合成反応の収率や選択性を考慮して適宜設定することができる。例えば、基質化合物は、０．００５Ｍ以上の範囲で適宜設定することができる。例えば、０．０１０Ｍ以上であり、また例えば、０．０２Ｍ以上であり、さらに例えば、０．０２５Ｍ以上である。また例えば、０．５Ｍ以下であり、さらに例えば、０．３Ｍ以下であり、さらにまた例えば、０．２Ｍ以下であり、また例えば、０．２Ｍ以下であり、さらにまた例えば、０．１Ｍ以下である。また例えば、０．０５Ｍ以上０．３Ｍ以下である。
【０１４６】
本不斉合成反応において、ブロモ化剤の使用量は、特に限定するものではなく、不斉合成反応の収率や選択性を考慮して適宜設定することができる。例えば、基質化合物に対して、特に限定するものではないが、当量として等量以上であることが好ましい。例えば、１．０当量以上であり、また例えば、１．１当量以上であり、さらに例えば、１．２当量以上であり、さらに例えば、１．３当量以上である。
【０１４７】
本不斉合成反応においては、必要に応じて、本不斉合成反応を阻害しない範囲で溶媒を用いることができる。特に限定するものではないが、例えば、ペンタン、ヘキサン、ヘプタン、オクタン、デカン、シクロヘキサン等の脂肪族炭化水素類、ベンゼン、トルエン、キシレン等の芳香族炭化水素類、ジクロロメタン、１，２−ジクロロエタン、クロロホルム、重クロロホルム、四塩化炭素、ｏ−ジクロロベンゼン等のハロゲン化炭化水素類、ジエチルエーテル、ジイソプロピルエーテル、ｔｅｒｔ−ブチルメチルエーテル、ジクロペンチルメチルエーテル、ジメトキシエタン、エチレングリコールジエチルエーテル、テトラヒドロフラン、１，４−ジオキサン、１，３−ジオキソラン等のエーテル類、アセトン、重アセトン、メチルエチルケトン、メチルイソブチルケトン、シクロヘキサノン等のケトン類、ｔｅｒｔ−ブタノール等の３級アルコール類、酢酸メチル、酢酸エチル、酢酸ｎ−ブチル、プロピオン酸メチル等のエステル類、ホルムアミド、Ｎ，Ｎ−ジメチルホルムアミド、Ｎ，Ｎ−ジメチルアセトアミド等のアミド類、ジメチルスルホキシド、重ジメチルスルホキシド（ジメチルスルホキシド−ｄ６等）等のスルホキシド類、アセトニトリル等の含シアノ有機化合物類、Ｎ−メチルピロリドン等が挙げられる。これら溶媒は、それぞれ単独で用いても２種以上適宜組み合わせて用いてもよい。
【０１４８】
溶媒を用いる場合、その使用量は、当該溶媒の種類や、用いる本化合物、基質化合物及びブロモ化剤の種類等により異なるため、反応によって適宜選択すればよい。
【０１４９】
本不斉合成反応は、大気中あるいは不活性ガス雰囲気下で行うことができる。不活性ガスとしては窒素ガス、アルゴンガス等の１種又は２種以上が挙げられる。また、常圧でもよいし、加圧あるいは減圧条件も適宜選択することができる。 
【０１５０】
反応温度は、通常約−１００〜１００℃、好ましくは約−８０〜５０℃、より好ましくは−８０℃〜室温付近の範囲から適宜選択される。また好適には、−８０℃〜０℃の範囲、また好適には、−５０℃〜０℃の範囲から適宜選択される。 反応時間は、通常数時間から３０時間程度、好ましくは数時間から２０時間程度、より好ましくは１０時間から１８時間程度とすることができる。反応中、必要に応じて撹拌してもよい。
【０１５１】
上記反応により得られたキラルブロモラクトンは、必要に応じて後処理、精製、単離等を行ってもよい。 このようにして得られたキラルブロモラクトンは、医薬、農薬等の中間体等として有用である。
【０１５２】
（キラルブロモラクトン）
本開示によれば、新規なキラルブロモラクトンが提供される。例えば、第１の態様のキラルブロモラクトンとしては、以下の式で表される５員環ブロモラクトンが挙げられる。
【０１５３】
【化２０】
2018065117.tif 000021
【０１５４】
上記式において、Ｒ21、Ｒ22、Ｒ23は、既に説明した、アルケニルカルボン酸におけるのと同義である。
【０１５５】
また、例えば、第２の態様のキラルブロモラクトンとしては、以下の式で表される６員環ブロモラクトンが挙げられる。
【０１５６】
【化２１】
2018065117.tif 000022
【０１５７】
上記式において、Ｒ21、Ｒ22、Ｒ23は、既に説明した、アルケニルカルボン酸におけるのと同義である。また、こうしたブロモラクトンとしては、以下の実施例において示す化合物３ａ、３ａ’、３ｂ、３ｃ、３ｄ、３ｅ、３ｆ、３ｈ、３ｉ、３ｊ、５ａ、５ｂ、５ｃ、５ｄ、５ｅ、５ｆ、５ｇ、５ｈ、５ｉが挙げられる。また、これらの化合物の２つの不斉中心のそれぞれについて逆の立体配置を有する化合物も挙げられる。
【０１５８】
こうしたキラルブロモラクトンは、２つの連続したキラル中心を有することができる。また、ブロム基を有することができる。こうしたラクトン構造を有する種々の有用物質の出発物質、中間体として有用である。
【実施例】
【０１５９】
以下、実施例により本発明をより具体的に説明するが、本発明はその要旨を超えない限り以下の実施例によって限定されるものではない。なお、以下においては、光学活性化合物の一方のエナンチオマーのみを示すが、他方のエナンチオマーについても同様であり、その反応は同様に進行する。
【実施例１】
【０１６０】
（キラルピリジルリン酸アミドの合成）
本実施例では、光学活性ビナフトール誘導体とアミノピリジン誘導体とのリン酸基を介した縮合反応により、キラルピリジルリン酸アミドを合成した。すなわち、既知の光学活性3,3’-置換ビナフトールに対し、CH2Cl2中トリエチルアミン、DMAP存在下、オキシ塩化リンを作用させる条件にて反応させた後、アセトニトリル、2-アミノピリジンを加えることで目的のピリジルリン酸アミド1a-dを合成した。以下に本実施例における合成スキーム１及び各種置換基を示す。
【０１６１】
【化２２】
2018065117.tif 000023
【０１６２】
（合成方法）
スキーム１に示す各種の置換基Ａｒを有する(R)-3,3’-Ar2-1,1’-bi-2-naphthol (1 eq.)、DMAP (1.2 eq.)を乾燥した反応容器に量り入れ、Ar置換する。Dry CH2Cl2 (0.2 M)を加えて撹拌し、0 °Cに冷却後、dry Et3N (4.2 eq.)、POCl3 (1.2 eq.)を加え、室温で1時間撹拌する。その後、dry acetonitrile (0.2 M)で溶かした2-aminopyridines (1.5-2.0 eq.)を加えover night撹拌する。精製水を加えて反応を停止し、水層をCH2Cl2で抽出し、有機層をbrineで洗浄、Na2SO4で乾燥、吸引ろ過する。ろ液を濃縮後、シリカゲルカラムにて精製し、各種ピリジルリン酸アミドを得た。
【０１６３】
図１に、得られた化合物の構造式、収率、目的物の外観、ＮＭＲデータ、ＭＳデータ等を示す。
【実施例２】
【０１６４】
（三置換オレフィンを有するカルボン酸に対する分子内不斉ブロモラクトン化反応１（各種ピリジルリン酸アミドによる５員環ブロモラクトンの合成）
標準条件として、実施例１で合成した各種ピリジルリン酸アミド10 mol%, Ｎ−ブロモスクしミド（NBS ）(1.2 当量)、トルエンを用いて、各種の三置換オレフィンを有するカルボン酸（0.025 M)を用いて、以下に示すスキーム２に従いキラルブロモラクトンを合成した。
【０１６５】
すなわち、エントリ１では、スキーム２に示す合成条件に従い、よく乾燥した30 mLナスフラスコに基質化合物 (0.1 mmol)、ピリジルリン酸アミド1a (7.7 mg, 10 mol%)を入れ、反応容器を窒素置換した。ここにトルエン(3.6 mL)を加えた後、-50 ℃に冷却して撹拌した。ここにN-bromosuccinimide (21.4 mg, 0.12 mmol)を入れ、dry toluene (0.4 mL)で反応容器を洗い、-50℃にて１８時間攪拌した。TLCにて反応の進行を確認後、10%チオ硫酸ナトリウム加えて10分攪拌した後に、室温に戻した。反応液を酢酸エチルにて希釈し、飽和食塩水で洗浄した。油層をNa2SO4を用いて乾燥させ、減圧濃縮を行い油状物質を得た。これをカラムクロマトグラフィー (CH2Cl2/Hexane=40/60から50/50)にて精製し、目的物を白色固体として得た。得られた固体の一部をEtOH/Hexaneに溶解させ、キラルHPLC分析を行うことで鏡像体過剰率を算出した (ＨＰＬＣ条件：Chiralpak OJ-H, EtOH/Hexane=40/60, 0.8mL/min)。以下、スキーム２及びエントリ２〜１２で規定する条件に従い、キラルブロモラクトンを合成した。これらの結果（エントリ１〜１２）を併せて以下に示す。
【０１６６】
【化２３】
2018065117.tif 000024
【０１６７】
エントリ１〜１２の結果に示すように、化合物１ａが、反応収率とエナンチオ選択性が良好であった。触媒構造の異なる1b-ｃを用いた実施例がエントリ 2-4で、いずれも1aを用いた場合と比較しておおよそ同等程度であった。なお、１dは、収率は良好ではなかったが、選択性は両区であった。また、1aの触媒量を10 mol%から5 mol%にすると選択性が低下した (エントリ 5)。また、トルエンが良好な溶媒であった（エントリ6, 7)。さらに、基質濃度に関しては0.025 Mが最適であり (エントリ 8, 9)、温度は-50℃が最適であるとわかった (エントリ 10, 11)。またNBS以外のブロモ化剤としてDBDMHを用いると選択性が若干低下した（エントリ１２）。
【実施例３】
【０１６８】
（三置換オレフィンを有するカルボン酸に対する分子内不斉ブロモラクトン化反応２（各種基質化合物を用いた５員環ブロモラクトンの合成）
実施例２におけるエントリ１の条件に準じて、以下のスキーム３のエントリ１〜１０に示す各種の基質化合物から、化合物１ａを用いて５員環キラルブロモラクトンを合成した。
【０１６９】
すなわち、よく乾燥した30 mLナスフラスコに基質化合物 (0.1 mmol)、ピリジルリン酸アミド1a (7.7 mg, 10 mol%)を入れ、反応容器を窒素置換した。ここにトルエン (3.6 mL)を加えた後、-50 ℃に冷却して撹拌した。ここにN-bromosuccinimide (21.4 mg, 0.12 mmol)を入れ、dry toluene (0.4 mL)で反応容器を洗い、-50℃にて１８時間攪拌した。TLCにて反応の進行を確認後、10%チオ硫酸ナトリウム加えて10分攪拌した後に、室温に戻した。反応液を酢酸エチルにて希釈し、飽和食塩水で洗浄した。油層をNa2SO4を用いて乾燥させ、減圧濃縮を行い油状物質を得た。これをカラムクロマトグラフィー (CH2Cl2/Hexane=40/60から50/50)にて精製し、目的物を白色固体として得た。得られた固体の一部をEtOH/Hexaneに溶解させ、キラルHPLC分析を行うことで鏡像体過剰率を算出した (ＨＰＬＣ条件：Chiralpak OJ-H, EtOH/Hexane=40/60, 0.8mL/min)。これらの結果（エントリ１〜１０）を併せて以下に示す。また、図２に合成した化合物とその同定情報を示す。
【０１７０】
なお、基質化合物２ａは、Ｅ：Ｚ＝７：１００の混合物であったため、Ｅ体に由来する５員環ブロモラクトンも化合物３ａ’として確認できた。化合物３ａ’を併せて図２に示す。
【０１７１】
【化２４】
2018065117.tif 000025
【０１７２】
以上に示すように、基質化合物２ｇを除いては、高い収率と高い選択性でキラルブロモラクトンを得ることができた。以上のことから、ピリジルリン酸アミドは、幅広い基質化合物に対して作用してキラルブロモラクトンを合成できることがわかった。
【実施例４】
【０１７３】
（三置換オレフィンを有するカルボン酸に対する分子内不斉ブロモラクトン化反応３（各種基質化合物を用いた６員環ブロモラクトンの合成）
実施例２におけるエントリ１の条件に準じて、以下のスキーム４のエントリ１〜１０に示す各種の基質化合物から、化合物１ａを用いて６員環キラルブロモラクトンを合成した。
【０１７４】
すなわち、よく乾燥した30 mLナスフラスコに４ａ(18.8 mg, 0.1 mmol)、ピリジルリン酸アミド1a (7.7 mg, 10 mol%)を入れ、反応容器を窒素置換した。ここにトルエン (3.6 mL)を加えた後、-50 ℃に冷却して撹拌した。ここにN-bromosuccinimide (21.4 mg, 0.12 mmol)を入れ、dry toluene (0.4 mL)で反応容器を洗い、-２0℃にて１５時間攪拌した。TLCにて反応の進行を確認後、10%チオ硫酸ナトリウム加えて10分攪拌した後に、室温に戻した。反応液を酢酸エチルにて希釈し、飽和食塩水で洗浄した。油層をNa2SO4を用いて乾燥させ、減圧濃縮を行い油状物質を得た。これをカラムクロマトグラフィー (酢酸エチル/ヘキサン=１０/９０から２０/８０)にて精製し、目的物を無色油状物質として得た。得られた固体の一部をEtOH/Hexaneに溶解させ、キラルHPLC分析を行うことで鏡像体過剰率を算出した (ＨＰＬＣ条件：Chiralpak OD-H, iPrOH/Hexane=１０/９０,１．０mL/min)。これらの結果（エントリ１〜１０）を併せて以下に示す。また、図３に合成した化合物とその同定情報を示す。
【０１７５】
【化２５】
2018065117.tif 000026
【０１７６】
以上に示すように、基質化合物の構造的相違によって、収率及び選択率に相違はあったが、種々の基質化合物について高い収率及び選択率で６員環キラルブロモラクトンを得ることができた。収率及び選択率は、反応温度の選択及び触媒であるピリジルリン酸アミドを適宜選択することで適宜改善できることもわかった。
【図１】
2018065117.tif 000030
【図２Ａ】
2018065117.tif 000031
【図２Ｂ】
2018065117.tif 000032
【図３Ａ】
2018065117.tif 000033
【図３Ｂ】
2018065117.tif 000034